(57)【要約】【課題】組付け作業性や組付状態の安定性の向上等を図ることのできるトリム及びウエザストリップ並びにその組付方法を提供する。【解決手段】自動車ボディの開口部周縁のフランジＦに沿ってインサートレスのトリム１が装着されている。トリム１は、その本体部がフランジＦを把持する車外側及び車内側の側壁部３，４と、当該両側壁部３，４を繋ぐ底壁部５とから構成され、断面略Ｕ字状に折り曲げられた状態で両面接着テープ７，８によりフランジＦに接着固定される。また、両側壁部３，４と底壁部５とは第１薄肉部９及び幅広の第２側壁部１０により連結されている。第２薄肉部１０は、フランジＦの厚みに応じて折れ点の位置が変更可能となっている。【選択図】      図２
2008247172.tif 000002
【特許請求の範囲】
【請求項１】
車体を構成するパネルのフランジを把持するための一対の側壁部と、当該両側壁部を繋ぐ底壁部とからなる本体部が断面略Ｕ字状に折り曲げられるとともに、少なくとも前記両側壁部が接着層を介して前記フランジ部に対し接着固定されるインサートレスのトリムであって、
前記両側壁部と前記底壁部とがそれぞれ薄肉部を介して連結されるとともに、当該両薄肉部のうち一方を、少なくとも他方の第１薄肉部よりも幅広の第２薄肉部とし、
前記第２薄肉部において、前記フランジの厚みに応じて折れ点の位置を変更可能としたことを特徴とするトリム。
【請求項２】
前記第２薄肉部において、前記フランジを構成するパネルの枚数に応じて異なる複数の折れ点の位置に対応してそれぞれ切込み部を形成したことを特徴とする請求項１に記載のトリム。
【請求項３】
前記両側壁部のうち、前記第１薄肉部により連結された側の側壁部の先端において、前記パネルに当接可能な突起部を設けたことを特徴とする請求項１又は２に記載のトリム。
【請求項４】
少なくとも前記本体部は一体成形された押出成形体であることを特徴とする請求項１乃至３のいずれか一項に記載のトリム。
【請求項５】
前記第１薄肉部により連結された側の側壁部を前記フランジに接着しかつ当該第１薄肉部を折り曲げた後、前記第２薄肉部を前記フランジの厚みに応じた折れ点の位置で折り曲げ、当該第２薄肉部により連結された側の側壁部を前記フランジに接着することを特徴とする請求項１乃至４のいずれか一項に記載のトリムの組付方法。
【請求項６】
取付基部として請求項１乃至４のいずれか一項に記載のトリムを備えるとともに、
前記トリムの外側面に設けられたシール部を備えたウエザストリップ。
【請求項７】
前記第１薄肉部により連結された側の側壁部を前記フランジに接着しかつ当該第１薄肉部を折り曲げた後、前記第２薄肉部を前記フランジの厚みに応じた折れ点の位置で折り曲げ、当該第２薄肉部により連結された側の側壁部を前記フランジに接着することを特徴とする請求項６に記載のウエザストリップの組付方法。
【発明の詳細な説明】
【技術分野】
【０００１】
本発明は、自動車等の車体を構成するパネルのフランジに対し接着固定されるインサートレスのトリム及びトリムを有するウエザストリップ並びにその組付方法に関するものである。
【背景技術】
【０００２】
一般に、自動車等の車体には、当該車体を構成する各種パネルが接合される等して一部にフランジが形成される。このフランジには、一般に被覆部材としてのトリムが組付けられたり、取付基部となるトリムを有したウエザストリップがシール部材として組付けられる。
【０００３】
従来のトリム単体製品や、ウエザストリップの取付基部となるトリムは、フランジを把持するよう断面略Ｕ字状に形成されるとともに、その内部にはフランジに対する挟持力を維持するために金属製のインサートが埋設されていた（例えば、特許文献１参照。）。
【０００４】
ところが、近年では、トリムやウエザストリップの軽量化が求められていることから、かかるニーズに応えるべく、トリム内のインサートを省くことが試みられている。このようなインサートレスのトリムは、両面接着テープ等を介してフランジに接着固定されることとなる。
【０００５】
図９に示すように、インサートレスのトリム８０は、例えばフランジを把持するための一対の側壁部８１，８２と、当該両側壁部８１，８２を繋ぐ底壁部８３とが略平板状に開いた状態で形成されるとともに、両側壁部８１，８２の内側面にはそれぞれ両面接着テープ８５が貼着される。そして、図１０に示すように、フランジ８７の先端に底壁部８３の内側面を当接させつつ、フランジ８７を挟むようにして両側壁部８１，８２を折り曲げ、断面略Ｕ字状とし、各両面接着テープ８５をフランジ８７の側面に押圧することにより、トリム８０がフランジ８７に接着固定される。なお、折れ点８８となる所定位置に予めノッチ等の切込み部８９を形成しておき、Ｕ字状に折り曲げやすくすることも周知技術の応用から考えられる。
【特許文献１】特開２００６−６２５４１号公報
【発明の開示】
【発明が解決しようとする課題】
【０００６】
しかしながら、トリム８０の組付対象となるフランジ８７は、接合されるパネル９１，９２の枚数が部位によって異なるため、その厚みが部位によって変化する。従って、組付け部位によって、トリム８０の折れ点８８の位置も変化してしまう。このため、仮にノッチ等の切込み部８９を所定位置に予め形成しておいたとしても、当該切込み部８９の位置が実際の折れ点８８の位置と一致しない組付け部位、例えば比較的フランジ８７の厚みのある部位においては、フランジ８７に追従させてトリム８０を折り曲げることが困難となるとともに、その変形に際しての応力も大きくなるため、側壁部８１，８２がしっかりと接着固定されずに、フランジ８７から剥がれてしまうおそれもある。結果として、組付け作業性や組付状態の安定性の低下が懸念される。
【０００７】
本発明は上記事情に鑑みてなされたものであり、その目的は、組付け作業性や組付状態の安定性の向上等を図ることのできるトリム及びウエザストリップ並びにその組付方法を提供することにある。
【課題を解決するための手段】
【０００８】
以下、上記問題を解決するのに適した各手段につき項分けして説明する。なお、必要に応じて対応する手段に特有の作用効果等を付記する。
【０００９】
手段１．車体を構成するパネルのフランジを把持するための一対の側壁部と、当該両側壁部を繋ぐ底壁部とからなる本体部が断面略Ｕ字状に折り曲げられるとともに、少なくとも前記両側壁部が接着層を介して前記フランジ部に対し接着固定されるインサートレスのトリムであって、
前記両側壁部と前記底壁部とがそれぞれ薄肉部を介して連結されるとともに、当該両薄肉部のうち一方を、少なくとも他方の第１薄肉部よりも幅広の第２薄肉部とし、
前記第２薄肉部において、前記フランジの厚みに応じて折れ点の位置を変更可能としたことを特徴とするトリム。
【００１０】
上記手段１によれば、両側壁部と底壁部との両連結部分をそれぞれ薄肉部とするとともに、当該両薄肉部のうち一方を幅広の第２薄肉部としている。このため、両連結部分にノッチ等の切込み部や幅狭の薄肉部を設けただけの構成よりも、トリム本体部をＵ字状に折り曲げやすくなる。さらに、幅広の第２薄肉部を備えることにより、折れ点の位置変化も許容できるため、フランジの厚みが部位によって相違する場合であっても、トリム本体部をフランジに追従させて適性に折り曲げることができる。結果として、組付け作業性の向上を図ることができる。ひいては、側壁部をフランジ側面に沿って適正に接着できるため、側壁部がフランジから剥がれてしまうといった不具合も低減され、組付け安定性の向上も図ることができる。
【００１１】
また、少なくとも幅広の第２薄肉部において折れ点の位置が変更可能になっていれば、第１薄肉部を比較的幅狭とし、当該第１薄肉部において折れ点の位置が変更不能となっていても何ら支障はない。仮に第１及び第２の両薄肉部において折れ点の位置が変更可能となっていると、フランジ厚み方向に対する底壁部の位置決め作業、例えば底壁部の中心位置を常に一定位置に配置することが難しくなるおそれがある。また、仮に底壁部全域が薄肉部となっている場合には、同様の不具合が生じることに加え、トリム組付けの際に底壁部をフランジ先端に当接させて位置決めするのにも安定性を欠くため、フランジ延出方向に対する位置決め精度も低下するおそれがある。この点、第１薄肉部において折れ点の位置が変更不能な構成となっていれば、第１薄肉部により連結された側の側壁部等を基準にして位置決めを行うことができるとともに、第２薄肉部において折れ点の位置を調節することで、フランジの厚みの変化にも対応することができるため、組付け位置のばらつきを抑えることができる。
【００１２】
なお、上記「車体」には、車両本体のみならず、そこに取付けられるドア等の開閉部材などが含まれる。従って、上記トリムはドア等に組付けられるものであってもよい。
【００１３】
手段２．前記第２薄肉部において、前記フランジを構成するパネルの枚数に応じて異なる複数の折れ点の位置に対応してそれぞれ切込み部を形成したことを特徴とする手段１に記載のトリム。
【００１４】
上記手段２によれば、よりスムーズに折り曲げ作業を行うことができるともに、パネルの枚数に応じて、より正確な位置を折れ点とすることができる。
【００１５】
手段３．前記両側壁部のうち、前記第１薄肉部により連結された側の側壁部の先端において、前記パネルに当接可能な突起部を設けたことを特徴とする手段１又は２に記載のトリム。
【００１６】
上記手段３によれば、突起部を位置決めの際の基点にできるため、組付け位置のばらつきを抑えることができる。結果として、組付け作業や位置決め精度のさらなる向上を図ることができる。
【００１７】
手段４．少なくとも前記本体部は一体成形された押出成形体であることを特徴とする手段１乃至３のいずれかに記載のトリム。
【００１８】
上記手段４のように押出成形されるトリムでは、フランジの厚みに応じて異なる折れ点の位置に対応して、ノッチ等の切込み部をその都度変更して設けることが困難であるため、上記各手段の作用効果がより奏功する。
【００１９】
手段５．前記第１薄肉部により連結された側の側壁部を前記フランジに接着しかつ当該第１薄肉部を折り曲げた後、前記第２薄肉部を前記フランジの厚みに応じた折れ点の位置で折り曲げ、当該第２薄肉部により連結された側の側壁部を前記フランジに接着することを特徴とする手段１乃至４のいずれかに記載のトリムの組付方法。
【００２０】
上記手段５の組付手順を経ることにより、フランジの厚みが部位によって相違する場合であっても、フランジ厚み方向に対する底壁部の組付け位置のばらつきを抑えつつ、容易にトリム本体部をフランジに追従させて適性に折り曲げ、接着することができる。
【００２１】
また、例えば手段３の突起部をパネルに当接させつつ、当該突起部を基点にトリム本体部を回動させ、上記手段５の組付手順を経ることにより、組付け作業や位置決め精度のさらなる向上を図ることができる。
【００２２】
手段６．取付基部として手段１乃至４のいずれかに記載のトリムを備えるとともに、
前記トリムの外側面に設けられたシール部を備えたウエザストリップ。
【００２３】
ウエザストリップにおいては、例えばシール部がトリムの底壁部外側に設けられている場合のようにシール部の形成位置によっては、トリムの位置決めが適正に行われないと、シール部の位置が適正位置から外れてしまい、ひいてはシール性の低下を招くおそれがあるが、上記手段１乃至４のいずれかに記載のトリムの構成を採用することで、このような不具合を抑制することができる。また、シール部がトリムの底壁部外側に設けられている場合、底壁部全域が薄肉部となっていると、シール部を支える所望の剛性が確保できず、シール性が低下するおそれがあるが、このような不具合も、上記手段１乃至４のいずれかに記載のトリムの構成を採用することで抑制することができる。
【００２４】
手段７．前記第１薄肉部により連結された側の側壁部を前記フランジに接着しかつ当該第１薄肉部を折り曲げた後、前記第２薄肉部を前記フランジの厚みに応じた折れ点の位置で折り曲げ、当該第２薄肉部により連結された側の側壁部を前記フランジに接着することを特徴とする手段６に記載のウエザストリップの組付方法。
【００２５】
上記手段７によれば、上記手段５と同様の作用効果が奏される。
【発明を実施するための最良の形態】
【００２６】
以下に一実施形態について図面を参照して説明する。本実施形態では、車体本体となる自動車ボディの開口部周縁などに形成されるフランジに沿って装着されるトリムを例にして説明する。図１はトリムの成形時の状態を示す断面図であり、図２〜図４はフランジに組付けられた状態のトリムを示す断面図である。
【００２７】
トリム１は、その本体部がフランジＦを把持する車外側及び車内側の側壁部３，４と、当該両側壁部３，４を繋ぐ底壁部５とから構成されている。トリム１本体部は、所定の押出成形機により側壁部３，４及び底壁部５が略平板状に開いた状態で押出成形された長尺状の押出成形体であり、その長手方向全域にわたって同一断面形状となっている。本実施形態では、トリム１本体部の材料として、ＥＰＤＭ（エチレン−プロピレン−ジエン共重合）ソリッドゴムを採用している。
【００２８】
トリム１本体部は、上述したように側壁部３，４が開いた状態で成形されるのであるが、フランジＦに対しては断面略Ｕ字状に折り曲げられた状態で組付けられる。
【００２９】
本実施形態のトリム１は、いわゆるインサートレスのトリムであり、本体部内にインサートが埋設される代わりに、フランジＦに接着固定するための接着層となる両面接着テープ７，８が両側壁部３，４の内側面にそれぞれ貼着されている。
【００３０】
しかしながら、トリム１の組付対象となるフランジＦは、自動車ボディを構成する各種パネルの先端が接合される等して形成されており、接合されるパネルの枚数が部位によって異なるため、その厚みも部位によって変化する。例えば、図２に示す部位では１枚のパネルａによってフランジＦが構成され、図３に示す部位では２枚のパネルａ，ｂによりフランジＦが構成され、図４に示す部位では３枚のパネルａ，ｂ，ｃによりフランジＦが構成されている。従って、トリム１の組付け部位によって、トリム１の折れ点の位置も変化してしまう。そのため、本実施形態のトリム１では、これに対応するための様々な工夫が施されている。
【００３１】
例えば本実施形態では、側壁部３，４を折り曲げやすくするために、車外側の側壁部３と底壁部５とが第１薄肉部９により連結され、車内側の側壁部４と底壁部５とが第２薄肉部１０によって連結されている。本実施形態では、第１薄肉部９の幅Ｗ１よりも第２薄肉部１０の幅Ｗ２が幅広に設定されており、当該第２薄肉部１０において、フランジＦの厚み（パネル枚数）に応じて折れ点の位置が変更可能となっている。このため、第２薄肉部１０においては、さらにフランジＦを構成するパネルの枚数に応じて異なる複数の折れ点Ｐ１，Ｐ２，Ｐ３の位置に対応してそれぞれ切込み部１５，１６，１７が形成されている。これに対し、第１薄肉部９においては折れ点Ｐ０の位置が変更されないようになっている。
【００３２】
また、車外側の側壁部３の先端には、フランジＦを構成する最も車外側のパネルａに当接可能な突起部としてのガイド突起１９が突出形成されている。ガイド突起１９は、ＥＰＤＭスポンジゴムよりなり、トリム１本体部とともに共押出成形されている。
【００３３】
上述したトリム１の組付手順としては、先ず図５に示すようにガイド突起１９の先端をパネルａに当接させつつ、当該ガイド突起１９を基点にトリム１本体部を回動させるようにして、車外側の側壁部３をフランジＦに接着する。そして、図６に示すように第１薄肉部９を折り曲げるとともに、底壁部５をフランジＦの先端に当接させる。その後、第２薄肉部１０をフランジＦの厚みに応じた折れ点Ｐ１，Ｐ２，Ｐ３の位置で折り曲げる。つまり、図２に示す部位では折れ点Ｐ１の位置で折り曲げられ、図３に示す部位では折れ点Ｐ２の位置で折り曲げられ、図４に示す部位では折れ点Ｐ３の位置で折り曲げられる。最後に車内側の側壁部４をフランジＦに接着することにより、トリム１の組付けが完了する。
【００３４】
以上詳述したように、本実施形態では、両側壁部３，４と底壁部５との両連結部分をそれぞれ第１薄肉部９及び第２薄肉部１０とするとともに、一方の第２薄肉部１０を幅広の薄肉部としている。このため、両連結部分にノッチ等の切込み部や幅狭の薄肉部を設けただけの構成よりも、トリム１本体部をＵ字状に折り曲げやすくなる。さらに、幅広の第２薄肉部１０を備えることにより、折れ点の位置変化も許容できるため、フランジＦの厚みが部位によって相違する場合であっても、トリム１本体部をフランジＦに追従させて適性に折り曲げることができる。結果として、組付け作業性の向上を図ることができる。ひいては、側壁部３，４をフランジＦの側面に沿って適正に接着できるため、側壁部３，４がフランジＦから剥がれてしまうといった不具合も低減され、組付け安定性の向上も図ることができる。
【００３５】
また、本実施形態では、第２薄肉部１０において、フランジＦを構成するパネルの枚数に応じて異なる複数の折れ点Ｐ１，Ｐ２，Ｐ３の位置に対応してそれぞれ切込み部１５，１６，１７が形成されている。このため、よりスムーズに折り曲げ作業を行うことができるともに、パネルの枚数に応じて、より正確な位置を折れ点とすることができる。
【００３６】
また、ガイド突起１９を設けるとともに、第１薄肉部９において折れ点Ｐ０の位置が変更されないように構成されているため、上記組付手順で組付作業を行えば、フランジＦの厚みが部位によって相違する場合であっても、より確実に第２薄肉部１０において折れ点の位置変化を調節しつつ、容易にトリム１本体部をフランジＦに追従させて適性に折り曲げ、接着することができる。さらに、このように組付けることでトリム１の組付け位置のばらつきも抑えることができる。結果として、組付け作業や位置決め精度のさらなる向上を図ることができる。
【００３７】
尚、上記実施形態の記載内容に限定されず、例えば次のように実施してもよい。勿論、以下において例示しない他の応用例、変更例も当然可能である。
【００３８】
（ａ）上記実施形態では、自動車ボディの開口部周縁などに組付けられるトリム１を例にしているが、組付部位によっては限定されず、ドア等に組付けられるトリムに適用してもよい。また、トリム単体製品に限らず、取付基部としてトリムを有するウエザストリップに適用してもよい。
【００３９】
例えば、図７に示すように、トランクルームの開口部周縁に取着されるトランク用ウエザストリップ２０として実施してもよい。トランク用ウエザストリップ２０は、上記トリム１を取付基部として備えるとともに、当該トリム１の底壁部５の外側面においてＥＰＤＭスポンジゴムよりなる中空状のシール部２１を備えている。そして、トランクリッド閉時には、シール部２１が潰れ変形することで、トランクリッドと自動車ボディとの間がシールされる。なお、仮に底壁部５全域が薄肉部となっていると、シール部２１を支える所望の剛性が確保できず、シール性が低下するおそれがあるが、図７に示すように薄肉部９，１０を除いて底壁部５にある程度の厚みを持たせることにより、そのような不具合は抑制される。
【００４０】
また、図８は、自動車ボディのドア開口部周縁に取着されるドアオープニング用ウエザストリップ３０について具体化した変形例である。ドアオープニング用ウエザストリップ３０は、上記同様にトリム１を取付基部として備えるとともに、当該トリム１の車外側の側壁部３の外側面においてＥＰＤＭスポンジゴムよりなる中空状のシール部３１を備えている。そして、ドア閉時には、シール部３１が潰れ変形することで、ドアと自動車ボディとの間がシールされる。
【００４１】
もちろん、中空状のシール部だけでなく、例えば舌片状のリップ部をシール部として備えたウエザストリップに適用してもよい。
【００４２】
（ｂ）上記実施形態では、車外側に幅狭の第１薄肉部９を設け、車内側に幅広の第２薄肉部１０を設けている。これに限らず、両者が逆に設けられた構成としてもよい。この場合には、ガイド突起１９が車内側の側壁部４に設けられるとともに、車内側から順にフランジＦに組付けられることが好ましい。
【００４３】
（ｃ）上記実施形態では、幅広の第２薄肉部１０においてのみ折れ点の位置が変更可能となっているが、これに限らず、第１薄肉部９の幅Ｗ１も折れ点の位置変更が可能な幅に設定されている構成としてもよい。但し、両薄肉部９，１０において折れ点の位置が変更可能となっていると、フランジＦの厚み方向に対する底壁部５の位置決め作業、例えば底壁部５の中心位置を常に一定位置に配置することが難しくなるおそれがあるため、上記実施形態のように片側の薄肉部だけで折れ点の位置が変更可能となっていることがより好ましい。
【００４４】
（ｄ）上記実施形態ではトリム１を構成する素材としてＥＰＤＭを例示しているが、ＩＲ（イソブレンゴム）、ＣＲ（クロロプレンゴム）等の他のゴム材料を用いてもよい。また、オレフィン系熱可塑性エラストマー（ＴＰＯ）、或いは軟質のポリ塩化ビニル等のゴム状弾性を有する他の弾性材料により構成してもよい。
【００４５】
（ｅ）両面接着テープ７，８に代えて、接着剤など他の接着手段によってフランジＦに接着固定する構成としてもよい。
【図面の簡単な説明】
【００４６】
【図１】トリムの成形時の状態を示す断面図である。
【図２】フランジに組付けられた状態のトリムを示す断面図である。
【図３】フランジに組付けられた状態のトリムを示す断面図である。
【図４】フランジに組付けられた状態のトリムを示す断面図である。
【図５】フランジへのトリムの組付手順を説明するための図である。
【図６】フランジへのトリムの組付手順を説明するための図である。
【図７】別の実施形態におけるウエザストリップを示す断面図である。
【図８】別の実施形態におけるウエザストリップを示す断面図である。
【図９】従来のトリムの成形時の状態を示す断面図である。
【図１０】従来のトリムをフランジに組付けた状態を示す断面図である。
【符号の説明】
【００４７】
１…トリム、３，４…側壁部、５…底壁部、９…第１薄肉部、１０…第２薄肉部、１５，１６，１７…切込み部、１９…ガイド突起、ａ，ｂ，ｃ…パネル、Ｆ…フランジ、Ｐ０，Ｐ１，Ｐ２，Ｐ３…折れ点、Ｗ１，Ｗ２…薄肉部の幅。
【図１】
2008247172.tif 000003
【図２】
2008247172.tif 000004
【図３】
2008247172.tif 000005
【図４】
2008247172.tif 000006
【図５】
2008247172.tif 000007
【図６】
2008247172.tif 000008
【図７】
2008247172.tif 000009
【図８】
2008247172.tif 000010
【図９】
2008247172.tif 000011
【図１０】
2008247172.tif 000012